(57)【要約】【課題】線香に文字を印刷する方法を提供する。【解決手段】横断面が角型の線香２の一側面２ａに文字を印刷する方法に関する。配列される線香２同士が互いに所定の間隔離間し、かつ、各線香２が周方向に転がるのを防止する複数の凸条１１が互いに平行に形成されて線香２を配列する複数の溝１２が形成された方形のトレー１０を予め用意し、印刷前に、複数本の線香の一側面２ａが上面となるように前記各線香２を前記トレー１０の溝１２に互いに平行に整列して配置する工程と、前記整列配置された線香２の前記一側面２ａに印刷する工程と、前記印刷後に、前記トレー１０に載せたままで前記線香２を箱詰めする工程とを備えている。【選択図】図６
2011168301.tif 000002
【特許請求の範囲】
【請求項１】
横断面が角型の線香の一側面に文字を印刷する方法であって、
配列される線香同士が互いに所定の間隔離間し、かつ、各線香が周方向に転がるのを防止する複数の凸条が互いに平行に形成されて線香を配列する複数の溝が形成された方形のトレーを予め用意し、
印刷前に、複数本の線香の一側面が上面となるように前記各線香を前記トレーの溝に互いに平行に整列して配置する工程と、
前記整列配置された線香の前記一側面に印刷する工程と、
前記印刷後に、前記トレーに載せたままで前記線香を箱詰めする工程とを備えた線香に文字を印刷する方法。
【請求項２】
横断面が角型で一側面に印刷が施された線香の包装ユニットであって、
配列される線香同士が互いに所定の間隔離間し、かつ、各線香が周方向に転がるのを防止する複数の凸条が互いに平行に形成されて線香を配列する複数の溝が形成された方形のトレーと、
文字が印刷された前記一側面が上面となるように前記トレーの前記各溝に互いに平行に配列され配置された複数本の線香とを包含する印刷線香の包装ユニット。
【請求項３】
請求項２において、前記トレーにおける前記線香の長手方向の両端部には、前記線香を取り出すために前記溝よりも深さの深い凹部が形成されている印刷線香の包装ユニット。
【発明の詳細な説明】
【技術分野】
【０００１】
本発明は線香に文字を印刷する方法および印刷線香の包装ユニットに関する。
【背景技術】
【０００２】
古来より、仏教では葬儀、初七日、四十九日、初盆および各周忌ごとに故人を偲ぶ法要が行われている。また、お盆には先祖を偲ぶ法要が行われている。
【先行技術文献】
【特許文献】
【０００３】
【特許文献１】特開平８−１３３３６５号
【発明の概要】
【発明が解決しようとする課題】
【０００４】
ここで、前記法要時において、線香を焚き、故人や先祖を懇ろに供養することは大変重要な儀式である。
そこで、線香に経文などを印刷すれば供養の気持ちがより一層高まる。
一方、当業者にとっては、線香に経文などを印字することにより線香の付加価値を高めることができる。
【０００５】
したがって、本発明の目的は、線香に文字を印刷する方法を提供することである。
また、本発明の別の目的は、線香に印刷された一側面が上面になるような印刷線香の包装ユニットを提供することである。
【課題を解決するための手段】
【０００６】
前記目的を達成するために、本発明の線香に文字を印刷する方法は、横断面が角型の線香の一側面に文字を印刷する方法であって、配列される線香同士が互いに所定の間隔離間し、かつ、各線香が周方向に転がるのを防止する複数の凸条が互いに平行に形成されて線香を配列する複数の溝が形成された方形のトレーを予め用意し、印刷前に、複数本の線香の一側面が上面となるように前記各線香を前記トレーの溝に互いに平行に整列して配置する工程と、前記整列配置された線香の前記一側面に印刷する工程と、前記印刷後に、前記トレーに載せたままで前記線香を箱詰めする工程とを備えた線香に文字を印刷する方法を提供することである。
【発明の効果】
【０００７】
本発明によれば、横断面が角型の線香の一側面に文字を印刷すると共に、トレーには、各線香が周方向に転がるのを防止する複数の凸条が互いに平行に形成されているので、文字が印刷された一側面が印刷後にも上面となった状態を保つことができるから、見栄えがよい。
また、線香の一側面に経文などを印刷することにより、故人や先祖を尊び供養する気持ちがより一層高まる。
一方、当業者にとっては、線香の一側面に経文などを印刷することにより高級感が生じ、商品である線香の付加価値を高めることができる。
【図面の簡単な説明】
【０００８】
【図１】本発明の一実施例にかかる印刷線香の包装ユニットを示す概略斜視図である。
【図２】同包装ユニットの包装方法を示す概略斜視図である。
【図３】同包装ユニットの包装方法を示す概略斜視図である。
【図４】同包装ユニットの包装方法を示す概略斜視図である。
【図５】図５Ａは印刷線香を示す概略平面図、図５Ｂは線香が配置されたトレーを示す図５ＣにおけるＩＢ−ＩＢ線概略縦断面図、図５Ｃは線香が配置された図５ＢにおけるＩＣ−ＩＣ線概略横断面図である。
【図６】線香とトレーを示す概略斜視図である。
【図７】図７Ａは印刷前の線香が配置されたトレーを示す概略斜視図、図７Ｂは印刷線香が配置されたトレーを示す概略斜視図である。
【図８】線香の印刷方法を示す概略斜視図である。
【発明を実施するための形態】
【０００９】
本発明の印刷線香の包装ユニットとしては、横断面が角型で一側面に印刷が施された線香の包装ユニットであって、配列される線香同士が互いに所定の間隔離間し、かつ、各線香が周方向に転がるのを防止する複数の凸条が互いに平行に形成されて線香を配列する複数の溝が形成された方形のトレーと、文字が印刷された前記一側面が上面となるように前記トレーの前記各溝に互いに平行に配列され配置された複数本の線香とを包含する。
【００１０】
本発明によれば、各線香の文字が印刷された一側面がそれぞれ上面となるので見栄えがよい。
また、たとえば、経文を印刷する場合には、１本の線香に経文の一行分づつを印刷することで、複数の線香にわたり経文全文を印刷することができるので、付加価値が高くなる。
【００１１】
本発明の印刷線香の包装ユニットにおいて、前記トレーにおける前記線香の長手方向の両端部には、前記線香を取り出すために前記溝よりも深さの深い凹部が形成されているのが好ましい。
かかる態様によれば、前記凹部の上に位置する線香の端部を下方に向って押すことで、線香の他端部が持ち上がり、簡単に線香を取り出すことができる。
また、経文を一行づつ線香に印刷した場合には、前記印刷行の順番が変わることなく線香を取り出すことができる。
【実施例１】
【００１２】
以下、本発明の一実施例を図面にしたがって説明する。
全体構成：
図１に示すように、蓋６（図２）を取り外した線香の包装ユニット１には、外箱４の中に複数の線香２が互いに平行に収納されている。前記線香２は、方形のトレー１０の中に互いに平行に配列されている。
図５Ｃに示すように、前記線香２は横断面が角型に形成されており、図５Ａに示すように、前記各線香２の一側面（上面）２ａには、経文が一行づつ印刷され、図７Ｂに示すように、多数の線香２が配列され配置されることにより、経文の全文が形成されている。
【００１３】
図１に示すように、前記外箱４内には、該外箱４とトレー１０との間には包紙３が収納されている。
前記トレー１０は外箱４内に２段に積層されており、図２〜図４は、外箱４内の線香２およびトレー１０の収納状態を示す。
図２は外箱４からトレー１０を取り出した状態を示す。図２に示すように、トレー１０は包紙３の上に載置されている。
図３は上段のトレー１０を取り外した状態を示す。図２に示すように、下段のトレー１０の上には中敷５が載置されている。
図４は中敷５を取り外した状態を示す。図４に示すように、下段のトレー１０内の複数の線香２にも経文が印字されている。
【００１４】
包装ユニット１：
図５Ｂおよび図５Ｃに示すように、前記トレー１０には複数の凸条１１が一体に形成されている。
図５Ｃに示すように、前記凸条１１は、配列される線香２同士が所定の間隔離間し、かつ、各線香２が周方向Ｒに転がるのを防止できる間隔に互いに平行に形成されている。前記複数の凸条１１により、各線香２が互いに平行に配列される複数の溝１２が形成されている。
【００１５】
図５Ｂおよび図６に示すように、前記トレー１０における線香２の長手方向Ｙの両端部２ｓには、前記溝１２よりも深さの深い凹部１３が形成されている。
図５Ｂに示すように、線香２の両端部２ｓを下方Ｚ１に向って押すと、線香２の他方の両端部２ｓが上方Ｚ２に立上り、線香２を取り出し易くなる。
【００１６】
印刷装置：
図８に示すように、前記複数の線香２が配置されたトレー１０は、たとえば、インクジェットプリンタによって線香２の一側面２ａに経文が印字される。
前記プリンタのヘッド７が線香２の上方を移動することで各線香２の上面２ａに経文が印字される。
なお、前記プリンタには、トレー１０を載置する図示しないテーブル上に、該トレー１０の端部を固定して位置決めするためのストッパ（図示せず）が設けられている。
【００１７】
線香に文字を印刷する方法：
配置工程；
線香に文字を印刷するには、まず、印刷前に、図７Ａに示すように、複数本の線香２の一側面２ａが上面となるように各線香２をトレー１０の溝１２に互いに平行に整列して配置する。
【００１８】
印刷工程；
前記配置後、図８に示すように、プリンタにトレー１０をセットする。その後、前記プリンタに所定の操作を行うと、図７Ｂに示すように、前記整列配置された線香２の一側面（上面）２ａに経文が印刷される。すなわち、図５Ａに示す線香２の一側面２ａに経文が一行づつ印刷される。
【００１９】
箱詰め工程；
前記印刷後、トレー１０に載せたままで線香２を箱詰めする。
すなわち、まず、外箱４の中に図４に示す包紙３を敷き、包紙３の上に下段のトレー１０を外箱４内に詰める。その後、下段のトレー１０の上に図３に示す中敷５を載せ、前記中敷５の上に図２に示すように上段のトレー１０を外箱４内に詰める。
その後、図１に示す包紙３を線香２の上面２ａを覆うように折り返した後、上蓋６（図２）を外箱４に被せる。
【００２０】
なお、前記凸条は長く連なっている必要はなく、短い凸条を多数配置して溝を形成してもよい。また、線香の横断面は必ずしも四角形である必要はなく、五角形、六角形や八角形など、一側面への印字が容易で、かつ、トレーの溝内で回転しにくい多角形であってもよい。
更に、長手方向に離間した多数の凸部で凸条を形成してもよい。
【産業上の利用可能性】
【００２１】
本発明は、線香に文字を印刷する方法および印刷線香の包装ユニットに適用することができる。
【符号の説明】
【００２２】
１：包装ユニット
２：線香
１０：トレー
１１：凸条
１２：溝
１３：凹部
Ｙ：長手方向
【図５】
2011168301.tif 000003
【図１】
2011168301.tif 000004
【図２】
2011168301.tif 000005
【図３】
2011168301.tif 000006
【図４】
2011168301.tif 000007
【図６】
2011168301.tif 000008
【図７】
2011168301.tif 000009
【図８】
2011168301.tif 000010